(57)【要約】      （修正有）【課題】マンホール蓋の高さと傾斜の調整を短時間に正確に行う方法を提供する。【解決手段】水平リング４を薄いシート状の集合体とし、そこから必要な厚さとなる位置で剥離させ、分離して所定の水平リング４とするもので、１個の集合体の水平リング４で任意の高さの調整がすばやく正確に行えるものである。さらに、傾斜調整リング２，３の組み合わせ方を明示した事により、傾斜調整リング２，３が高さ調整に寄与する量を算出し、水平リング４の必要厚を正確かつ容易に決定できるようにしたものである。【選択図】図−１
2010216216.tif 000002
【特許請求の範囲】
【請求項１】
地下構造物のマンホール蓋を舗装後、周辺舗装に合わせて設置する、いわゆる後付け工法によるマンホール蓋の設置において、高さは厚さが一定の水平リング、傾斜は同じ形状の傾斜調整リング２枚の組み合わせで調整するとき、調整すべき厚さの平均をＨ１、傾斜調整リングの平均厚をＨ２とし、高さ調整に必要な水平リングの厚さをｈ４としたとき、ｈ４＝Ｈ１−（Ｈ２×２）となり、薄いシート状の水平リングを剥離可能な状態で筒状に重ねて１個の製品とし、必要な厚さｈ４となるように分離して高さ調整用水平リングとし、傾斜は調整すべき厚さの最大値をｈ１、上部傾斜調整リングの最大厚となる位置１３、（ｈ１−ｈ４）÷２の厚さとなる位置を１４、１５、ここの厚さをｈ７とし、傾斜調整リングの外周円の中心を１２としたとき、１２と１３を結ぶ線と１３から右円周方向の１４と１２を結ぶ線の侠角をθとし、下部傾斜調整リングはその中心１２と下部傾斜調整リングの最大厚となる位置１８を結ぶ線から左円周方向に角θ移動させた点を１９とし、ここの厚さはｈ７で、１４のｈ７と１９のｈ７を重ね合わせて上記の上下傾斜調整リングを合成すると、その最大調整厚の位置は１４＋１９の位置で、高さはｈ７×２＝ｈ３となり、その合成された傾斜調整リングの傾斜が調整すべき傾斜となり、前記水平リングと組み合わせてマンホール蓋の高さと傾斜を調整することを特徴とする高さ調整方法。
【請求項２】
薄いシート状の水平リングを剥離可能な状態で、マンホール蓋を固定するボルトが貫通するようにボルトを通す穴９をそろえて筒状に重ねて１個の製品とし、必要な厚さとなる位置で剥離させて高さ調整用の水平リングを調製することを特徴とする請求項１の水平リング。
【発明の詳細な説明】
【技術分野】
【０００１】  本発明は、マンホール蓋の高さと傾斜を調整することに関する。
【背景技術】
【０００２】  従来、マンホール蓋の高さ調整作業において設置する高さと傾斜の決定は、いろいろな高さと傾斜の調整リングを組み合わせて高さと傾斜を調整するか（特許文献１）、スプリングのような調整部材を蓋の下に蓋を固定するボルトを介して設置し、蓋の高さをナットの締め付けで決定し、蓋と人孔の間にモルタル等を充填し、その充填物が十分硬化させる方法（特許文献２）、筒状の原リングを３ヵ所のボルトの位置にそれぞれの高さ調整高を下がりとして位置を決め、その３点を通る面で切断して調整材とする方法（特許文献３）等が提案されていた。【０００３】
【特許文献１】  特開平９−５３２４５
【特許文献２】  特開平９−１６５７６７
【特許文献３】  特開２００２−２５００４６
【０００４】  しかし、調整リングを組み合わせて高さと傾斜を調整する方法では調整リングの最小厚が０．５ｃｍ以上で、最大、調整リングの最小厚の１／２までしか調整ができないため調整誤差が大きく、舗装後、周辺舗装に合わせてマンホール蓋を設置する後付け工法には調整精度が不十分であった。また、厚さの異なる調整リングの組み合わせの選定や在庫管理も煩雑であった。【０００５】  さらに、ワッシャーやスプリングのような調整部材を蓋の下に蓋を固定するボルトを介して設置し、蓋の高さをナットの締め付けで決定し、蓋と人孔の間にモルタル等を充填し、その充填物を十分硬化させる方法（特許文献２）では、モルタル等の硬化時間が長いため長い養生時間が必要となり、設置経費や交通規制時間等周辺への影響も増大していた。【０００６】  また、筒状の原リングを３ヵ所のボルトの位置にそれぞれの高さ調整高を下がりとして位置を決め、その３点を通る面で切断して調整材とする方法（特許文献３）では、切断する装置が必要で、その動力源や作業スペースを確保しなければならず、これらの設備費が必要であった。
【発明の開示】
【発明が解決しようとする課題】
【０００７】  本発明は、上記の問題を解決するためのものである。
【問題を解決するための手段】
【０００８】  地下構造物のマンホール蓋を舗装後、周辺舗装に合わせて設置する、いわゆる後付け工法によるマンホール蓋の設置において、高さは厚さが一定の水平リング、傾斜は同じ形状の傾斜調整リング２枚の組み合わせで調整するとき、調整すべき厚さの平均をＨ１、傾斜調整リングの平均厚をＨ２とし、高さ調整に必要な水平リングの厚さをｈ４としたとき、ｈ４＝Ｈ１−（Ｈ２×２）となり、薄いシート状の水平リングを剥離可能な状態で筒状に重ねて１個の製品とし、必要な厚さｈ４となるように分離して高さ調整用水平リングとし、傾斜は調整すべき厚さの最大値をｈ１、上部傾斜調整リングの最大厚となる位置１３、（ｈ１−ｈ４）÷２の厚さとなる位置を１４、１５、ここの厚さをｈ７とし、傾斜調整リングの外周円の中心を１２としたとき、１２と１３を結ぶ線と１３から右円周方向の１４と１２を結ぶ線の侠角をθとし、下部傾斜調整リングはその中心１２と下部傾斜調整リングの最大厚となる位置１８を結ぶ線から左円周方向に角θ移動させた点を１９とし、ここの厚さはｈ７で、１４のｈ７と１９のｈ７を重ね合わせて上記の上下傾斜調整リングを合成すると、その最大調整厚の位置は１４＋１９の位置で、高さはｈ７×２＝ｈ３となり、その合成された傾斜調整リングの傾斜が調整すべき傾斜となり、前記水平リングと組み合わせてマンホール蓋の高さと傾斜を調整することにより解決した。
【発明の効果】
【０００９】  高さ調整が正確で容易である。
高さ調整作業を作業時間短縮できるので交通規制時間や設置コストの削減ができる。
調整リングの種類を集約して製造や資材管理のコスト削減ができる。
調整リングの切断等の装置が不要で設備費の削減ができる。
【発明を実施するための最良の形態】
【実施例】
【００１０】  いわゆる後付け工法（特許文献４）による下水道のマンホール蓋設置を例に実施例を説明する。【００１１】  特許文献４    特開平１１−２２９４１５号【００１２】  仮設蓋を舗装する前の路面と同じ高さに、復元可能なクッション材を介在させ、転圧荷重で沈下し、その荷重が開放されると復元するような不安定な状態で設置し、舗装後、仮設蓋の上部に発生した舗装切断線で囲まれた舗装版を撤去、続いて仮設蓋、仮設調整リングを除去し、本設蓋を周辺舗装面と同じ高さに設置固定する。【００１３】  このとき、本設蓋の受け枠の下にボルトを介して、本設蓋の高さと傾斜を調整する調整リングは、高さを調整は厚さが一定の薄いシート状の水平リングを剥離可能な状態で筒状に重ねた水平リングの上に傾斜を調整する同じ形状の傾斜調整リング２枚を組み合わせて挿入し調整する。【００１４】  よって、路面の傾斜は傾斜調整リングの傾斜×２以下の平面で、調整代は傾斜調整リングの平均厚×２以上が必要であり、この条件を満たすように仮設調整リングの厚さ、傾斜調整リングの傾斜を調製する。【００１５】  水平リングは薄いシート状の水平リングを剥離可能な状態で筒状に積み上げ、１個の部材となるので薄いシート状の水平リングでも資材の管理は非常に容易である。また、その薄いシート状の水平リングの厚さは求められる精度により自由に設定できるがマンホールの高さ調整では１ｍｍ程度でよい。この薄いシート状の水平リングを筒状に積み重ねたリングから必要な厚さｈ４となる所定の位置１０で剥離させ、分離して高さ調整の水平リングとする。このため、ほぼ連続的な高さ調整が非常に容易にできる。さらに、薄いシート状の水平リングを筒状に積み重ねたリングの厚さｈ８は１日当たりの処理可能基数をまかなえる程度でよい。たとえば、１日当たり処理基数１０基、１基当たりの平均使用厚さ５ｃｍとすれば１０×５＝５０ｃｍとなる。【００１６】  傾斜調整リングの組み合わせ方は２個の同一形状の傾斜リングをそれぞれの傾斜面で合わせ、片方の傾斜調整リングを０度から１８０度まで回転させれば０％からその傾斜調整リングの傾斜角の２倍まで任意の傾斜に調整できる。
傾斜調整リングの傾斜面の組み合わせ方は、図４で示すように上部傾斜リングの最大厚となる位置１３から右回転方向に、傾斜調整リングの厚さ（ｈ１−ｈ４）÷２＝ｈ７となる位置１４と１５、リングの円の中心を１２としたとき、１２と１３を結ぶ線と１３から右水平回転方向の１４と１２を結ぶ線の侠角の角度をθとし、図５の下部傾斜リングの中心１２と下部傾斜リングの最大厚となる位置１７を結ぶ線から左水平方向に角度θ移動させた点を１９、この厚さはｈ７となり、１４のｈ７と１９のｈ７合わせて上下傾斜調整リングを合成すると、最大調整厚の位置は１４＋１９の位置で、高さはｈ７×２＝ｈ３となり、その合成された傾斜調整リングの傾斜が調整すべき傾斜となる。
これは、基準点からの回転方向を逆にしても同様である。
また、調整作業をより簡便にするため、あらかじめ傾斜調整リングの外周上に適当な間隔でその点の厚さを明示しておくこともできる。【００１７】  調整厚等を決定するための測定は仮設蓋、仮設調整リング等の仮設物を除去後、道路の傾斜方向と並行で、調整ブロックの外周円の中心線を通る位置で舗装の上に定規を置き、調整ブロック上部までの下がりを測定し、その値から蓋の厚さを控除したのがｈ１、ｈ２（ｈ１≧ｈ２）となる。【００１８】  以上のとおり、本発明は水平リングを薄いシート状の集合体とし、そこから必要な厚さとなる位置で剥離させ、分離して所定の水平リングとするもので、１個の集合体の水平リングで任意の高さの調整がすばやく正確に行えるものである。さらに、傾斜調整リングの組み合わせ方を明示した事により、傾斜調整リングが高さ調整に寄与する量を算出し、水平リングの必要厚を正確かつ容易に決定できるようにしたものである。
よって、従来のように、多種の調整リングをそろえて試行錯誤法的手法で調整するものとはまったく異なるものである。
【産業上の利用可能性】
【００１９】  本発明によればマンホール蓋の高さ調整が短時間で正確に行えるため設置経費の削減と工事に伴う通行規制や車両通行に伴う騒音振動等周辺の環境負荷を軽減できる。
【図面の簡単な説明】
【図１】調整高最大点（ｈ１）、最小点（ｈ２）を通る実施断面図
【図２】筒状に積み重ねた水平リングの斜視図
【図３】水平リングの平面図
【図４】上部傾斜調整リングの斜視図
【図５】下部傾斜調整リングの斜視図
【符号の説明】  １はマンホール蓋、２は上部傾斜調整リング、３は下部傾斜調整リング、４は水平リング、５はマンホールの調整ブロック、６はマンホールの斜壁、７は蓋の受け枠を固定するナット、８は蓋の受け枠を固定するボルト、９は蓋の受け枠を固定するボルトを通す穴、１０は積み重ねた水平リングの剥離する位置、１１，１７は傾斜調整リングの最小厚部、１２は傾斜調整リングの外周円の中心、１３，１８は傾斜調整リングの最大厚部、１４，１５，１９，２０は（ｈ１−ｈ４）／２の厚さとなる位置、１６は傾斜調整リングが傾斜に合わせて回転可能にするための円周方向に細長いボルトを通す穴。
【図−１】
2010216216.tif 000003
【図−２】
2010216216.tif 000004
【図−３】
2010216216.tif 000005
【図−４】
2010216216.tif 000006
【図−５】
2010216216.tif 000007
【手続補正書】
【提出日】平成21年6月4日(2009.6.4)
【手続補正２】
【補正対象書類名】図面
【補正対象項目名】全図
【補正方法】変更
【補正の内容】
【図１】
2010216216.tif 000008
【図２】
2010216216.tif 000009
【図３】
2010216216.tif 000010
【図４】
2010216216.tif 000011
【図５】
2010216216.tif 000012